(57)【要約】【課題】ＯＡ番組を送出する装置の異常発生に対する系統切替を速やかかつ、予防的で自動的に実行する低コストの番組系統切替システムおよび切り替え方法を提供する。【解決手段】系統切替コントローラ６は、現用、予備の素材スイッチャＳ１Ａ、Ｓ１Ｂからオンエアする番組素材を送出する素材送出装置を選択するＯＡラインＬ１に加えて、ネクストラインからの選択情報を取得し、制御ネットワークＮを介してアラームを受信した場合、ネクストラインの選択情報からそのアラームが、次にＯＡする番組素材を送出する素材送出装置１ａ２で有った場合、系統切替スイッチャＳ２が予備系の素材スイッチャＳ１ＢからのＯＡラインＬ１出力を選択する制御を行い、系統を通してホットスタンバイしている予備系に切り替えることにより放送事故を防ぐ。【選択図】図１
2009188731.tif 000002
【特許請求の範囲】
【請求項１】
ＳＣＰが管理する番組送出スケジュールに従って、スイッチャが素材送出装置を選択して番組素材を送出する自動番組送出設備で用いられ、前記素材送出装置からのアラームを受信して前記素材送出装置を現用系から予備系に切り替える番組送出系統切替システムにおいて、
それぞれ第１、第２の系統を構成する複数の素材送出装置が接続され、該当する前記系統の現在ＯＡする番組素材と、それを送出する素材送出装置の選択情報を出力するＯＡラインと、次にＯＡする番組素材を送出する素材送出装置の選択情報を出力するネクストラインとを備える第１のスイッチャおよび第２のスイッチャと、
前記第１、第２のスイッチャのＯＡラインが出力する番組素材を入力し、そのいずれか一方を現用系のＯＡされる番組素材として選択して出力する第３のスイッチャと、
同じ番組素材が同時に前記第１、第２のスイッチャから出力される様に複数の前記素材送出装置および前記第１、第２のスイッチャを制御するとともに前記第１、第２の系統のいずれか一方を現用系、他方をホットスタンバイの予備系となるように前記第３のスイッチャの出力の選択を制御するＳＣＰと、
前記複数のそれぞれの素材送出装置の固有の識別情報と前記ＯＡラインおよび前記ネクストラインに接続される前記素材送出装置の識別情報とが対応するリストとを備え、
前記第１、第２のスイッチャから前記選択情報を受信して監視すると共に前記素材送出装置からアラームを受信した時、そのアラームを受信した素材送出装置の識別情報と前記選択情報を前記リストと照合し、
当該アラームが現用系の前記ＯＡライン、または前記ネクストラインの選択情報で示される素材送出装置から受信したものである場合、前記第３のスイッチャで現在予備系に選択されている系統を現用系に切り替える系統切替制御手段とを備える
ことを特徴とする番組送出系統切替システム。
【請求項２】
第１〜第３のスイッチャと、系統切替制御手段とを備え、複数の素材送出装置からＳＣＰが管理する番組送出スケジュールに従って素材送出装置をスイッチャが選択して番組素材を送出する自動番組送出設備で用いられ、素材送出装置からのアラームを受信して素材送出装置を現用系から予備系に切り替える番組送出系統切替システムの切り替え方法において、
前記第１のスイッチャおよび第２のスイッチャは、第１、第２の系統を構成する複数の前記素材送出装置が接続され、前記ＳＣＰの制御により該当する前記系統で現在ＯＡする番組素材とその番組素材を送出する第１の素材送出装置を示す選択情報とを出力するＯＡラインから現在ＯＡする番組素材を送出すると共に前記第１の素材送出装置を示す選択情報とを出力し、また、次にＯＡする番組素材を送出する第２の素材送出装置を示す選択情報を出力するネクストラインから前記第２の素材送出装置を示す選択情報を第３のスイッチャへ出力し、
前記ＳＣＰは、同じ番組素材が同時に前記第１、第２のスイッチャから出力される様に前記第１、第２のスイッチャを切替えるとともに前記第１、第２の系統のいずれか一方を現用系、他方をホットスタンバイの予備系となるように前記第３のスイッチャの出力の選択を制御し、
前記系統切替制御手段は、
前記ＯＡラインおよび前記ネクストラインに接続される前記複数の素材送出装置の固有の識別情報をリストにしてメモリに記憶し、
前記素材送出装置からアラームを受信したとき、当該アラームから素材送出装置の識別情報を判読し、その判読した識別情報と前記リストと照合し、
当該アラームが現用系の前記ＯＡライン、または前記ネクストラインの選択情報で示される前記第１、または前記第２の素材送出装置から受信したものである場合、前記第３のスイッチャで現在予備系に選択されている系統を現用系に切り替える
ことを特徴とする番組送出系統切替システムの切り替え方法。
【発明の詳細な説明】
【技術分野】
【０００１】
本発明は、放送局における番組送出系統切替システムおよび切替方法に関する。
【背景技術】
【０００２】
営業放送では、番組送出に係わる装置、機器を冗長構成にして放送番組の素材を送信機に向けて送出している。スタジオ等に設置される番組素材の送出装置として複数台のテレビカメラや同じく多数のＶＴＲ、ビデオサーバ等が運用され、オンエア（以下、ＯＡと省略する）動作したり、またＯＡに備えて待機（スタンバイ）動作をする。
【０００３】
これ等の番組送出装置は、それぞれの自己点検機能によりＯＡ中に異常が発生するとアラームを発生し、アラームを受けたオペレータが現用装置から予備装置への切替を行っている。
【０００４】
図３は、従来の放送局スタジオにおける番組送出系統切替システムの動作を説明する機能系統図である。  
図３において、番組送出系統切替システムは、現用系、予備系の素材送出装置１ａ１…、素材送出装置１ｂ１…、素材スイッチャＳ１ａ、素材スイッチャＳ１ｂを備え、いずれの素材スイッチャから出力を選択する系統スイッチャＳ２、監視制御卓２、警報収集装置３、ＳＣＰ（Ｓｃｈｅｄｕｌｅ  Ｃｏｎｔｒｏｌ  Ｐｒｏｃｅｓｓｏｒ）４、分配器５ａ１…、５ｂ１…、制御ネットワークＣＮ等を備え、系統スイッチャＳ２を介して所要の番組素材の信号が多重装置ＭＰ等を介して送信所へ向けて送出されている。
【０００５】
番組時刻表に基づいてＳＣＰ４は、放送予定の番組素材を送出する素材送出装置１ａ１…、１ｂ１…に素材の送出タイミングを制御すると共に、現用系の素材スイッチャ（ここでは、素材スイッチャＳ１ａとする。）の接続先を制御し、所要の番組の素材信号を系統スイッチャＳ２を介して、例えば、素材送出装置１ａ１であるＶＴＲから多重装置ＭＰへ送出する。
【０００６】
各素材送出装置１ａ１…、１ｂ１…、素材スイッチャＳ１ａ、Ｓ１ｂは、自己点検信号を制御ネットワークＣＮ又は、信号線等を介して警報収集装置３へ送出している。また、各素材送出装置１ａ１…、１ｂ１…は、それぞれ分配器５ａ１…、５ｂ１…を介して自分が出力する素材信号が２系統に分配され、素材スイッチャＳ１ａ、Ｓ１ｂへ出力されている。
【０００７】
今、現用機材が素材送出装置１ａ１のＶＴＲで、それに対する予備機材が素材送出装置１ｂ１のＶＴＲであるとする。そして、素材スイッチャＳ１ａ、Ｓ１ｂのマトリクススイッチのそれぞれの接点ｓ１ａとｓ１ｂには、素材送出装置１ａ１、１ｂ１の出力が接続される。
【０００８】
正常時には、この素材送出装置１ａ１のＶＴＲが出力する素材信号が、現用系統の素材スイッチャＳ１ａの接点ｓ１ａと系統スイッチャＳ２を介して多重装置ＭＰへ向けて送出、ＯＡされる。もし、この素材送出装置１ａ１のＶＴＲに異常が発生すると、そのアラーム信号が制御ネットワークＣＮを介して警報収集装置３へ出力される。
【０００９】
アラーム信号は、アラームを発生した装置を特定する固有の識別情報を含んでいるので、アラーム信号を受信した警報収集装置３は、ディスプレイ等の手段により素材送出装置１ａ１のＶＴＲが故障していることをオペレータに通知する。（故障装置を示す識別情報は、パネルに設置された各装置に対応するランプ表示等の手段でも良い。）。
【００１０】
オペレータは、素材送出装置１ａ１の予備機材であるスタンバイ中の素材送出装置１ｂ１のＶＴＲが出力する信号を選択するように監視制御卓２からスイッチャＳ１ａを制御し、その接点ｓ１ｂを介して出力される信号を系統スイッチャＳ２を介して多重装置ＭＰへ向けて送出させる制御を行う。
【００１１】
この従来の系統切替方法では、ＯＡ中に装置が故障、もしくはアラームが通知されてからオペレータが故障装置を特定して現用から予備の機材に装置切替を行うので、アラーム発生から切替までに時間が掛かり画面に異常が生じる問題があった。
【００１２】
更に、従来は番組、コンテンツが変わると素材送出装置も切り替わるが、新たなコンテンツを送出する素材送出装置に不具合が生じていても、次に切り替えられる装置に不具合があることを特定して通知する手段が無かった。その為、番組がＳＣＰ４が時刻表に対応して自動的に装置が切り替えられてからアラームがオペレータに通報されるので異常装置の切り替えに時間遅れが発生する問題があった。
【００１３】
この様な、故障発生装置を予め探し出して装置を自動的に切り替えて置く方法として、試験信号を各装置に送付し異常を検出する方法がある（例えば、特許文献１。）。しかし、この方法は、番組スケジュールを、例えばＳＣＰ４から取り出してＯＡに支障の無いタイミングで試験しなければならず、試験シーケンスと切り替え制御手順が複雑になり、また試験装置のコストが掛かる問題がある。
【特許文献１】特開２０００−２８７１０５号公報  （第５頁、第１図）
【発明の開示】
【発明が解決しようとする課題】
【００１４】
従来の系統切替装置は、装置からのアラームを検出したオペレータが手動で系統切替を行う為、異常発生時の対応に遅れが生じる問題が有った。
【００１５】
本発明は、上記問題を解決するためになされたもので、ＯＡ番組を送出する装置の異常発生に対する系統切替を速やかかつ予防的で自動的に実行する低コストの番組系統切替システムおよび切り替え方法を提供することを目的とする。
【課題を解決するための手段】
【００１６】
上記目的を達成するために、本発明の番組送出系統切替システムは、ＳＣＰが管理する番組送出スケジュールに従って、スイッチャが素材送出装置を選択して番組素材を送出する自動番組送出設備で用いられ、前記素材送出装置からのアラームを受信して前記素材送出装置を現用系から予備系に切り替える番組送出系統切替システムにおいて、それぞれ第１、第２の系統を構成する複数の素材送出装置が接続され、該当する前記系統の現在ＯＡする番組素材と、それを送出する素材送出装置の選択情報を出力するＯＡラインと、次にＯＡする番組素材を送出する素材送出装置の選択情報を出力するネクストラインとを備える第１のスイッチャおよび第２のスイッチャと、前記第１、第２のスイッチャのＯＡラインが出力する番組素材を入力し、そのいずれか一方を現用系のＯＡされる番組素材として選択して出力する第３のスイッチャと、同じ番組素材が同時に前記第１、第２のスイッチャから出力される様に複数の前記素材送出装置および前記第１、第２のスイッチャを制御するとともに前記第１、第２の系統のいずれか一方を現用系、他方をホットスタンバイの予備系となるように前記第３のスイッチャの出力の選択を制御するＳＣＰと、前記複数のそれぞれの素材送出装置の固有の識別情報と前記ＯＡラインおよび前記ネクストラインに接続される前記素材送出装置の識別情報とが対応するリストとを備え、前記第１、第２のスイッチャから前記選択情報を受信して監視すると共に前記素材送出装置からアラームを受信した時、そのアラームを受信した素材送出装置の識別情報と前記選択情報を前記リストと照合し、当該アラームが現用系の前記ＯＡライン、または前記ネクストラインの選択情報で示される素材送出装置から受信したものである場合、前記第３のスイッチャで現在予備系に選択されている系統を現用系に切り替える系統切替制御手段とを備えることを特徴とする。
【００１７】
また本発明の番組送出系統切替システムの切り替え方法は、第１〜第３のスイッチャと、系統切替制御手段とを備え、複数の素材送出装置からＳＣＰが管理する番組送出スケジュールに従って素材送出装置をスイッチャが選択して番組素材を送出する自動番組送出設備で用いられ、素材送出装置からのアラームを受信して素材送出装置を現用系から予備系に切り替える番組送出系統切替システムの切り替え方法において、前記第１のスイッチャおよび第２のスイッチャは、第１、第２の系統を構成する複数の前記素材送出装置が接続され、前記ＳＣＰの制御により該当する前記系統で現在ＯＡする番組素材とその番組素材を送出する第１の素材送出装置を示す選択情報とを出力するＯＡラインから現在ＯＡする番組素材を送出すると共に前記第１の素材送出装置を示す選択情報とを出力し、また、次にＯＡする番組素材を送出する第２の素材送出装置を示す選択情報を出力するネクストラインから前記第２の素材送出装置を示す選択情報を第３のスイッチャへ出力し、前記ＳＣＰは、同じ番組素材が同時に前記第１、第２のスイッチャから出力される様に前記第１、第２のスイッチャを切替えるとともに前記第１、第２の系統のいずれか一方を現用系、他方をホットスタンバイの予備系となるように前記第３のスイッチャの出力の選択を制御し、前記系統切替制御手段は、前記ＯＡラインおよび前記ネクストラインに接続される前記複数の素材送出装置の固有の識別情報をリストにしてメモリに記憶し、前記素材送出装置からアラームを受信したとき、当該アラームから素材送出装置の識別情報を判読し、その判読した識別情報と前記リストと照合し、当該アラームが現用系の前記ＯＡライン、または前記ネクストラインの選択情報で示される前記第１、または前記第２の素材送出装置から受信したものである場合、前記第３のスイッチャで現在予備系に選択されている系統を現用系に切り替えることを特徴とする。
【発明の効果】
【００１８】
本発明によれば、ＯＡ番組を送出する装置の異常発生に対する系統切替を速やかかつ予防的で自動的に実行する低コストの番組系統切替システムおよび切り替え方法を提供することができる。
【発明を実施するための最良の形態】
【００１９】
以下、図面を参照して本発明の実施例を説明する。
【実施例】
【００２０】
図１は、本発明の実施例に係わる番組系統切替システムの動作を説明する機能系統図である。  
図１において、番組送出系統切替システムＳＸは、第１、第２の系統で番組素材を送出する素材送出装置１ａ１…、素材送出装置１ｂ１…、それらの系統に対応する素材スイッチャＳ１Ａ、素材スイッチャＳ１Ｂ、系統スイッチャＳ２、監視制御卓２、系統切替コントローラ６、ＳＣＰ（Ｓｃｈｅｄｕｌｅ  Ｃｏｎｔｒｏｌ  Ｐｒｏｃｅｓｓｏｒ）４、以上の各装置間を接続して制御、モニタ信号を伝送する制御ネットワークＣＮと、各素材送出装置の出力を分岐して各素材スイッチャへ分配する分配器５等とを備える。
【００２１】
監視制御卓、上記各スイッチャ、ＳＣＰ４は、通常、自動番組送出設備を構成する装置である。ＳＣＰ４は、番組時刻表に従い、素材送出装置と各スイッチャを制御してＯＡされる番組素材を素材スイッチャから出力する制御を行う。素材送出装置が出力した素材信号は、系統スイッチャＳ２を介して所要の番組素材の信号が多重装置ＭＰ等を介して送信所へ向けて送出されている。なお、各素材送出装置の出力は分配器５を介して両素材スイッチャへ入力されるが、頻雑を避けるため図１では、素材送出装置１ａ１、１ｂ１に関する系統のみ図示し、他は省略している。
【００２２】
制御ネットワークＣＮは、放送局内のスタジオ機器等の各種制御、モニタ信号を伝送する通信網である。実施例の番組送出系統切替システムＳＸは、従来の番組送出系統切替システムと素材スイッチャＳ１Ａ、素材スイッチャＳ１Ｂが後述のネクストラインを使用すること、警報収集装置３に代わり、自動切換機能を備えた系統切替コントローラ６を備えている点が異なる以外は同様であるので、同様な事項については、説明を省略する。
【００２３】
本実施例の番組送出系統切替装置は、現用系と予備系との２系統が同時に並行運用され、予備系がホットスタンバイ動作をしていることである。即ち、もし、現用系の機材、装置に故障が発生した場合、従来のような故障装置だけの切り替えを行うのではなく系統全体を、現用から予備の系統に切り替える処理を行う。
【００２４】
系統切替コントローラ６は、ＣＰＵ、メモリ、インタフェース（図示せず）を備えたパーソナルコンピュータの様な情報端末である。制御ネットワークＣＮを介して系統スイッチャ２、素材スイッチャＳ１Ａ、Ｓ１Ｂの接点の選択情報を受信し、制御ネットワークＣＮ、または、入出力ポート等からＬＡＮインタフェースによるＴＣＰ手順や、シリアルインタフェース等の所要のインタフェースを介してアラーム信号を各素材送出装置、スイッチャ等から受信する。
【００２５】
そして、ＣＰＵが選択情報からＯＡ中の素材および、次にＯＡされる素材を出力する各素材送出装置を読み取り、素材送出装置からのアラームを受信すると後述の様に系統切替を行う系統切替信号を系統スイッチャＳ２に送出する。
【００２６】
番組時刻表に基づいてＳＣＰ４は、制御ネットワークＣＮを介して制御信号を所要の装置に送信し、現用系、予備系の素材スイッチャＳ１Ａ、素材スイッチャＳ１Ｂの接続先を制御する。そして、ＯＡする番組の素材信号を系統スイッチャＳ２が現用系の素材スイッチャＳ１Ａの出力を選択し、素材送出装置１ａ１であるＶＴＲからの素材信号を多重装置ＭＰへ送出する。
【００２７】
また、各素材送出装置１ａ１…、１ｂ１…、素材スイッチャＳ１Ａ、Ｓ１Ｂは、自己点検信号、アラームの信号を制御ネットワークＣＮ又は、信号線等を介して系統切替コントローラ６へ送出している。
【００２８】
即ち、ＯＡ中の現用機材が素材送出装置１ａ１のＶＴＲで、それに対する予備機材が素材送出装置１ｂ１のＶＴＲであるとする。そして、素材スイッチャＳ１Ａ、Ｓ１ＢのマトリクススイッチのそれぞれのＯＡする番組の素材信号を選択する接点ｓ１ａとｓ１ｂには、素材送出装置１ａ１、１ｂ１の出力が接続され、その接点ｓ１ａとｓ１ｂが取り出した素材出力信号が系統スイッチャＳ２に入力される。系統スイッチャＳ２は、現用系である素材スイッチャＳ１Ａを選択し、それからの素材送出装置１ａ１のＶＴＲが出力するコンテンツ信号を多重装置ＭＰへ向けて送出する。
【００２９】
この時、素材送出装置１ａ２のＶＴＲからの出力も素材スイッチャＳ１Ｂの接点ｓ１ｂを介して系統スイッチャＳ２に入力されているが、素材スイッチャＳ１Ｂが選択するＯＡラインＬ１出力は予備系統である為、多重装置ＭＰへは出力されない。
【００３０】
また、素材スイッチャＳ１Ａ、Ｓ１Ｂのマトリクススイッチには、ＯＡラインＬ１に加えてネクストラインＬ２が設けられ、番組時刻表に従ったＳＣＰ４の制御によって、ＯＡ中の次にＯＡされるコンテンツを送出する素材送出装置１ａ２、１ｂ２の出力が接続されている接点ｎｓ１ａとｎｓ１ｂが選択されている選択情報が出力される。両素材スイッチャは、ＯＡラインＬ１とネクストラインＬ２との選択情報を、制御ネットワークＣＮを介して、又は信号線により系統切替コントローラ６に送信する。
【００３１】
系統切替コントローラ６は、アラームを送出する素材送出装置の識別情報と、各素材送出装置が接続されている各素材スイッチャの接点とを対応させたデータをリストにして内部のメモリに記憶している。
【００３２】
そして、制御ネットワークＣＮを介して、又は信号線により受信したこれらの選択情報から、ＯＡ中の番組素材を送出する素材送出装置と、ネクストラインＬ２の選択情報を監視し次にＯＡされる素材送出装置を判読する。そして、アラームを受信した場合、いずれの素材送出装置がＯＡ中か、次のＯＡに備えてホットスタンバイ中か、それとも、まだ先のＯＡに備えている状態なのかを判定する。
【００３３】
図２は、各素材スイッチャがＯＡ用の素材信号を選択するＯＡラインＬ１の接点ｓ１ａとｓ１ｂと、ネクストラインＬ２の接点ｎｓ１ａとｎｓ１ｂとが選択するコンテンツの時間系列を示す図である。  
図２（ａ）において、ＯＡラインＬ１は、時刻１０：００〜１０：０５の間は、ネット回線からのニュース素材、１０：０５〜１０：１０は、ＶＴＲ（図１の素材送出装置１ａ１に相当）からの収録番組素材を選択する１０：０１０〜１０：１１は、広告素材を出力するビデオサーバを選択する事が示されている。また、図２（ｂ）は、ネクストラインＬ２の選択先を同様に示している。
【００３４】
もし、１０：０５〜１０：１０のＯＡ中に素材送出装置１ａ１のＶＴＲに異常が発生すると、それからアラーム信号が制御ネットワークＣＮを介して系統切替コントローラ６へ出力される。系統切替コントローラ６は、アラーム６を受信すると、系統切替信号を制御ネットワークＣＮを介して系統スイッチャＳ２へ送信し、自動的に系統スイッチャＳ２を切り替える制御をする。
【００３５】
そして、素材信号の入力先を素材スイッチャＳ１Ａから素材スイッチャＳ１Ｂに切り替えることによってＯＡする系統をホットスタンバイしている予備系に切り替える。
【００３６】
この系統全体での切替は、特に、デジタル放送や圧縮符号化された映像信号を送出している番組送出システムでは、系統スイッチャＳ２は系統切替信号を受信すると系統を通してＧＯＰ（Ｇｒｏｕｐ  ｏｆ  Ｐｉｃｔｕｒｅｓ）単位で切替を行うので、系統切替を行っても画面が途切れることを防ぐ効果がある。
【００３７】
系統切替コントローラ６は、現用と、予備の全ての素材送出装置からのアラーム信号を受信しているが、従来は、オペレータが警報収集装置３がアラーム信号を受信した装置を特定して、さらに次の番組のＯＡに用いられる機材かどうかを調べてその故障の影響を判断して監視制御卓２から系統切替コマンドを送信して対応する必要があった。加えて、故障装置のみの予備機への切替は、速やかに行えないのみならず上記ＧＯＰでの切替を行う同期制御が複雑となる問題があった。
【００３８】
本実施例では、図２（ｂ）に示されるように系統切替コントローラ６がネクストラインＬ２の接点情報から次のＯＡに使用される装置の情報を入力して判読している。そして、もし、１０：０５〜１０：１０のＯＡ中に次のＯＡに使用される現用系のＣＭバンクである素材送出装置１ａ２のビデオサーバからアラームを受信した場合、次の番組に切り替える前のＯＡ中に現用系から予備系に切り替えるか、番組切替のタイミングに合わせて現用系から予備系に切り替える制御を系統スイッチャＳ２に行い番組切替後の放送事故を回避する。
【００３９】
ネクストラインＬ２は、番組切替に伴う画像表示の過渡現象を防ぐためや、タイミング管理を正確に行うために、予め素材送出装置を起動待機させるために設けられている。本実施例は、この選択情報を利用しているので、系統切替コントローラ６がわざわざＳＣＰ４から番組送出情報を取得して系統切替のためのデータ処理を行う必要が無い。
【００４０】
そして、従来の番組送出システムでは、アラームを発生した装置に番組を切り替える危険性があったが、本実施例の番組送出方法では、ネクストラインＬ２を監視して次に番組素材を送出する素材送出装置のアラームか、否かを判定しているので故障装置に切り替えること無く、予め予備系統へ切替えることが出来るので、放送事故を防ぐことが可能になる。
【図面の簡単な説明】
【００４１】
【図１】本発明の実施例に係わる番組系統切替システムの動作を説明する機能系統図。
【図２】各素材スイッチャが選択するコンテンツの時間系列を示す図。
【図３】従来の放送局における番組送出系統切替システムの動作を説明する機能系統図。
【符号の説明】
【００４２】
１ａ１、１ｂ１、１ａ２、１ｂ２  素材送出装置
２  監視制御卓
４  ＳＣＰ（Ｓｃｈｅｄｕｌｅ  Ｃｏｎｔｒｏｌ  Ｐｒｏｃｅｓｓｏｒ）
５  分配器
６  系統切替コントローラ
Ｓ１Ａ、Ｓ１Ｂ  素材スイッチャ
Ｓ２  系統スイッチャ
Ｌ１  ＯＡライン
Ｌ２  ネクストライン
【図１】
2009188731.tif 000003
【図２】
2009188731.tif 000004
【図３】
2009188731.tif 000005